(57)【特許請求の範囲】
【請求項１】
上面に物品載置部の形成されたシート部材を備えた収納トレイにおいて、前記シート部材は、保形性を有する芯材と、該芯材の上表面側に配設され且つ前記物品載置部上に載置される物品の移動を防止する物品移動防止部材と、前記芯材の下表面側に配設され且つ前記シート部材自体の移動を防止するトレイ移動防止部材とを備えており、
前記物品移動防止部材及び前記トレイ移動防止部材は、液状の合成樹脂を塗布後に加熱発泡された合成樹脂発泡体が凹凸を有してメッシュ生地上に付着して形成されるシート部材を、芯材の両面に配設されている状態で加熱プレスによって折曲げ成型されてなり、かつ折曲げ成型された曲面に沿って密着して接着されてなることを特徴とする収納トレイ。
【請求項２】
山折り側の面に位置するメッシュ生地がトレイ移動防止部材を構成する一方、谷折り側の面に位置するメッシュ生地が物品移動防止部材を構成することを特徴とする請求項１に記載の収納トレイ。
【請求項３】
芯材が、合成樹脂発泡体から形成されていることを特徴とする請求項１又は２のいずれかに記載の収納トレイ。
【発明の詳細な説明】
【発明の属する技術分野】
本発明は、自動車等の車内において使用され、小物等の物品を載置する物品載置部を有する収納トレイであって、特に載置した物品の移動及びトレイ自体の移動を防止する移動防止手段を備えるものに関する。
【０００１】
【従来の技術】
一般に、自動車等の車内には車検証や小物を収納するためのグローブボックスが設けられている。しかし、このグローブボックスは通常助手席側のダッシュボード下に設けられていることから、例えばライターや煙草、財布、携帯電話といった常時携行する物品を収納しようとすると、運転席側からは離れているために乗車中や乗降の際に取り出しや収納が行いにくく不便であった。このため、上記のような小物を運転席からでも手の届きやすい場所に置いておけるようにするために、ダッシュボード上に載置される収納トレイが提供されている。この収納トレイとしては、走行中の振動や制動時、旋回時にかかる遠心力でダッシュボード上を移動しないように、両面に粘着性を有するテープ材で固定するもののほか、トレイを固定することなく移動を防止できるように載置面との接触面に滑りを防止する部材が配設されたものが挙げられる。
【０００２】
しかし、これらのトレイは、そのトレイ自体の移動は防止されているものの、載置された物品がトレイ内を移動し、時にはトレイから飛び出して、物品を破損させてしまうことがあった。また、テープ材で固定するものは位置変更のとき等にテープ材を剥がすと粘着剤がダッシュボード上に残って痕になってしまったり、従来の滑り防止部材を底面に取り付けたものでは、滑り止め効果が次第に低下してしまうなどの問題もあった。
【０００３】
【発明が解決しようとする課題】
そこで、本発明は上記問題を解決するために、トレイ内での物品の移動を防止するとともにトレイ自体に固定手段を設けることなく移動を防止し且つその効果を半永久的に維持可能な滑り防止部材を配設した収納トレイを提供することを課題としている。
【０００４】
【課題を解決するための手段】
上記課題を解決するために、請求項１に記載した発明が採った手段は、上面に物品載置部１１の形成されたシート部材２０を備えた収納トレイ１０において、シート部材２０は、保形性を有する芯材２１と、芯材２１の上表面側に配設され且つ物品載置部１１上に載置される物品の移動を防止する物品移動防止部材２２と、芯材２１の下表面側に配設され且つシート部材２０自体の移動を防止するトレイ移動防止部材２３とを備えており、物品移動防止部材２２及びトレイ移動防止部材２３は、液状の合成樹脂を塗布後に加熱発泡された合成樹脂発泡体２５が凹凸を有してメッシュ生地２４上に付着して形成されるシート部材２０を、芯材２１の両面に配設されている状態で加熱プレスによって折曲げ成型されてなり、かつ折曲げ成型された曲面に沿って密着して接着されてなることを特徴とする収納トレイ１０である。
【０００５】
このように、芯材２１を備え且つ物品移動防止部材２２とトレイ移動防止部材２３とを配設したシート部材２０から収納トレイ１０を形成することにより、形状を保持しつつ薄型に形成することができるとともに、収納トレイ１０自体の移動を防止しながら物品載置部１１に載置される物品の移動をも防止することができるので、物品が落下するなどして傷が付いたり破損したりすることなく、安全に載置することができる。
【０００６】
また、メッシュ生地２４を用いることで柔軟性を備えることができるようになるので、例えば、芯材２１が曲面を有して形成されても、その曲面に沿って密着させることができるようになる。そして、物品移動防止部材２２とトレイ移動防止部材２３に合成樹脂発泡体２５を備えることで強力な滑り防止効果が得られるとともに、滑り防止効果が低下してきた場合には水洗するだけ回復させることができるので、滑り防止効果を半永久的に維持できるようになる。また、合成樹脂発泡体２５とメッシュ生地２４の双方がクッションの役割をして、物品載置部１１に載置した物品の荷重がかかると、その物品と物品載置部又は収納トレイ底面とその載置面とがより密着して、効果的に滑りを防止することができる。
【０００７】
また、請求項２に記載した発明が採った手段は、山折り側の面に位置するメッシュ生地２４がトレイ移動防止部材２３を構成する一方、谷折り側の面に位置するメッシュ生地２４が物品移動防止部材２２を構成することを特徴とする請求項１に記載の収納トレイ１０である。
【０００８】
これは、上記のように加工されてシート部材２０の両面に配設されるメッシュ生地２４、２４が、シート部材２０の折曲げ面に応じてそれぞれ物品移動防止部材２２又はトレイ移動防止部材２３とを構成するものである。また、谷折り側の面のメッシュ生地２４を物品移動防止部材２２とすることにより物品が滑ることを防止できるだけでなく、縁部によってトレイの外に飛び出すことを防止することができる。
【０００９】
また、請求項３に記載した発明が採った手段は、芯材２１が、合成樹脂発泡体２５から形成されていることを特徴とする請求項１又は２のいずれかに記載の収納トレイ１０である。
【００１０】
合成樹脂発泡体２５を芯材２１とすることにより、シート部材２０の成型加工が行いやすくなるとともに、収納トレイ１０全体に強度を持たせながらも軽く仕上げることができる。これにより、収納トレイ１０の形状の選択幅が広がることとなるとともに、軽量とすることで車体の旋回時や制動時における遠心力の影響を受けにくくなり、その結果として収納トレイ１０の移動を抑えることができる。
【００１１】
【発明の実施の形態】
本発明に係る収納トレイは、上面側に物品を載置するための物品載置部が形成されている収納トレイであって、保形性を有する芯材と、その芯材の上下表面にはそれぞれ物品移動防止部材とトレイ移動防止部材が配設されたシート部材を備えて、トレイ自体の移動と物品載置部に載置される物品の移動の両方を防止するものである。
【００１２】
収納トレイは、物品載置部を備えるために少なくとも上面側が開口して形成されている必要があるが、その他形状については特に限定されるものではなく、例えば円形や四角形のように、様々な形状で形成することができる。
【００１３】
物品載置部は、シート部材を成形することで形成されるものである。例えば、シート部材の縁部を全周にわたって上方側に折曲げて壁面を形成し、その壁面の内側部分を物品載置部とすることが考えられる。
【００１４】
シート部材は芯材と、その芯材の上表面に配設される物品移動防止部材と下表面に配設されるトレイ移動防止部材とを備えて形成される。芯材は、トレイとしての形状を保持できる程度の強度を有するものであれば、特に限定されるものではないが、軽量であり且つ成型性に優れた合成樹脂発泡体から作製することが特に好ましい。ここで用いられる合成樹脂発泡体の材質としては、例えば、ポリエチレン発泡体、塩化ビニル発泡体、ポリプロピレン発泡体等が挙げられる。
【００１５】
物品移動防止部材とトレイ移動防止部材とは、物品またはトレイの載置面と接触してそれらが滑ることを防止する目的で配設されるものである。従って、物品移動防止部材とトレイ移動防止部材は同様に形成されるものを用いることができる。物品移動防止部材とトレイ移動防止部材としては上記目的を達成できるものであれば、特には限定されるものではないが、メッシュ生地に合成樹脂発泡体を付着させてなるものを用いることが特に好ましい。メッシュ生地としては、例えば樹脂繊維を織成したものや薄手の樹脂シートを網目に形成したもの等が挙げられる。合成樹脂発泡体としては、例えば、塩化ビニルやエチレン酢酸ビニルコポリマー（ＥＶＡ）等のように一般に滑り防止機能を有するものとして知られているものを用いることができる。これら合成樹脂発泡体は滑り防止効果が低下した場合でも、水洗を行うことでそれを回復させて半永久的に滑り防止効果を維持することができる点において優れている。
【００１６】
上記芯材に、物品移動防止部材及びトレイ移動防止部材を配設するには、加熱プレスにより圧着して行うことが好ましい。芯材と両移動防止部材をより密着させることができるからである。また、加熱プレスをシート部材を成型する型材を用いて行うことにより芯材と両移動防止部材との圧着と成型を１つの工程で行うことができるようになる。
【００１７】
以下、本発明の実施例を図に基づいて説明する。
（実施例１）
図１には、本実施例に係る収納トレイ１０が示されており、図２にはその断面図が示されている。この収納トレイ１０は四角形に裁断されたシート部材２０より形成されており、縁部１２が上方側に折曲げられて、その上面が物品を載置する物品載置部１１となっている。
【００１８】
シート部材２０は芯材２１と、芯材２１の上表面を被覆する物品移動防止部材２２と、下表面を被覆するトレイ移動防止部材２３とからなる三層構造を採っている。芯材２１はポリエチレンを加熱発泡させて形成されたポリエチレン発泡体からなる。
【００１９】
物品移動防止部材２２とトレイ移動防止部材２３は同様に構成されている（以下、実施例１において単に「移動防止部材」というときは、便宜上物品移動防止部材とトレイ移動防止部材の両者をいうものとする）。これら移動防止部材は、芯材に配設される前に予め作製されるものである。図３には移動防止部材の断面が示されており、図４にはその表面を拡大した図が示されている。移動防止部材は、表面に塩化ビニル発泡体２５を固定したメッシュ生地２４からなる。塩化ビニル発泡体２５は、液状の塩化ビニルをメッシュ生地２４上に塗布した後に、メッシュ生地２４を加熱処理して発泡されるものである。このようにして作製される移動防止部材は優れた滑り防止効果を発揮するとともに、滑り防止効果が低下してきたときでも水洗することによって簡単にその効果を回復させることができるのである。
【００２０】
そして、上記のように作製された物品移動防止部材２２とトレイ移動防止部材２３が、それぞれ芯材２１の上表面と下表面に配置されて、加熱プレスすることによって芯材２１と接着される。こうして三層構造を有するシート部材２０が作製されるのである。そして、このシート部材２０を型材を用いて成型する。
【００２１】
このようにして形成される収納トレイ１０は、収納トレイ１０自体の移動を防止することは勿論、物品載置部１１に載置される物品が移動することも防止して、振動等により物品が飛び出したり落下したりすることから保護することを可能としている。
【００２２】
尚、物品移動防止部材及びトレイ移動防止部材は、上記のように芯材に配設する前に予め作製することの他に、芯材にまずメッシュ生地を配設しておき、その後塩化ビニル等の合成樹脂液をメッシュ生地上に塗布して加熱発泡させて作製することもできる。
【００２３】
（参考例１）
図５には参考例１に係る収納トレイ１０が示されている。参考例１に係る収納トレイ１０は全体形状は実施例１と同様に形成されているが、芯材２１に直接物品移動防止加工とトレイ移動防止加工を施している点で相違している。
【００２４】
芯材２１は実施例１と同じく、ポリエチレン発泡体からなる。そして、この芯材２１の両表面に塩化ビニル発泡体２５が直接付着されている。これは芯材２１を型材を用いて加熱プレスして成形する前に両表面に塩化ビニルを予め付着しておき、その後加熱プレスすることによって発泡させて加工される。
【００２５】
このようにして芯材２１に直接移動防止加工することで成型と部材点数を少なくすることができるので、製造コストを安く抑えることが可能となる。
【００２６】
【発明の効果】
請求項１に記載された収納トレイによれば、シート部材に保形性を有する芯材を備えたことにより、例えば自動車のダッシュボード等の上に安定して載置することができる。また、芯材の上表面側に物品移動防止部材を備え、下表面側にトレイ移動防止部材を備えたことで、載置された物品が物品載置部内で移動したり飛び出したりすることを防止し、さらにはトレイ自体が移動することをも防止しているので、制動時や旋回時にかかる遠心力等によって物品又はトレイ自体が落下するなどして損傷してしまうことから保護することができる。
【００２７】
また、物品移動防止部材とトレイ移動防止部材とが、メッシュ生地上に合成樹脂発泡体が付着して形成されたことにより、滑り止め効果が低下してきたときには水で洗浄することで再び回復することができるので、本来の滑り止め効果を維持することができる。さらに、ゴム等の素材に比べて柔軟性を備えることができるので、芯材との密着性を高めることができる。また、メッシュ生地に合成樹脂液を塗布して加熱発泡させて作製することにより、メッシュ生地上に形成される合成樹脂発泡体に大きな凹凸を持たせることができるので、滑り防止効果をより一層高めることができる。
【００２８】
請求項２に記載された収納トレイによれば、請求項１に記載された収納トレイの効果に加えて、合成樹脂液の塗布後これを加熱発泡させたメッシュ生地を物品移動防止部材及びトレイ移動防止部材とすることで優れた滑り防止効果が得られるとともに、これらを同一の部材から形成するため、いずれの面でも物品移動防止部材又はトレイ移動防止部材とすることができるので、成型等の加工をシート部材の表裏を気にすることなく行うことができる。また、シート部材を折曲げ成型し、その谷折り側の面に配設されるメッシュ生地から物品移動防止部材を構成することにより、物品がトレイ内で移動することを防止できるとともに、縁部によって物品が飛び出すことを防止することができる。
【００２９】
請求項３に記載された収納トレイによれば、請求項１又は２に記載された収納トレイの効果に加えて、芯材を合成樹脂発泡体から形成しているので、トレイ自体を軽量に仕上げることができる。
【図面の簡単な説明】
【図１】  実施例１に係る収納トレイの斜視図である。
【図２】  実施例１に係る収納トレイの図１におけるＡ−Ａ’断面図である。
【図３】  実施例１に係る収納トレイの物品移動防止部材とトレイ移動防止部材の断面を模式的に表した図である。
【図４】  実施例１に係る収納トレイの物品移動防止部材とトレイ移動防止部材の拡大表面図である。
【図５】  参考例１に係る収納トレイの斜視図である。
【符号の説明】
１０  収納トレイ
１１  物品載置部
１２  縁部
２０  シート部材
２１  芯材
２２  物品移動防止部材
２３  トレイ移動防止部材
２４  メッシュ生地
２５  塩化ビニル発泡体（合成樹脂発泡体）
【図１】
0003700128.tif 000002
【図２】
0003700128.tif 000003
【図３】
0003700128.tif 000004
【図４】
0003700128.tif 000005
【図５】
0003700128.tif 000006